(57)【要約】      （修正有）【課題】内部に水が溜まり、部屋内の接続部及び構成品よりの漏水を防ぐことができる給気用ウェザーカバーユニットを提供する。【解決手段】ウェザーカバー１、壁貫通短管２、シャッター３、フィルターユニット４及び有圧扇５から成る各構成品をウェザーカバー−壁貫通短管−シャッター−フィルターユニット−有圧扇の順に組み合わせた組み合わせ構造を有し、壁貫通短管は溶接構造とし、壁貫通短管の底部に傾斜を設けて水の溜まらない構造とし、フィルターユニットは溶接構造とし、フィルターユニットの底部に傾斜を設けて水の溜まらない構造とし、フィルターユニットを固定する固定レール部も水抜き構造を備えた水の溜まらない構造とし、壁貫通短管の底部とフィルターユニットの底部を、壁貫通短管の底部の傾斜とフィルターユニットの底部の傾斜が連続した傾斜となるように組み合わせた構造とすることにより、内部に水が入った場合、内部に水を溜めることなく、外部へ排出し、漏水を防ぐ。【選択図】図１
0003219169.tif 000002
【実用新案登録請求の範囲】
【請求項１】
有圧扇を備えた給気用ウェザーカバーユニットにおいて、ウェザーカバー、壁貫通短管、シャッター、フィルターユニット及び有圧扇から成る各構成品の組み合わせ構造を有し、前記壁貫通短管は溶接構造とし、底部に傾斜を設け、水の溜まらない構造とし、前記フィルターユニットは溶接構造とし、底部に傾斜を設け、水抜き構造を備えた固定レール部も水の溜まらない構造とし、前記壁貫通短管と前記フィルターユニットの組み合わせ構造により、内部に水を溜めることなく、雨、濃霧、その他の原因で内部に水が入った場合、水を前記底部に設けた傾斜を通して自然落下により外部へ排出し、漏水を防ぐようにしたことを特徴とする前記給気用ウェザーカバーユニット。
【請求項２】
シャッターの固定を壁貫通短管とフィルターユニットの内側で行う構造とし、部屋内側の接続箇所を最小限とし、該接続部及び構成品より漏水を起こすことを防ぐようにした、請求項１記載の給気用ウェザーカバーユニット。
【請求項３】
胴縁に付属する取付金具を固定するだけで壁貫通短管の位置決めと構成品の固定を行うようにした、請求項１又は２記載の給気用ウェザーカバーユニット。
【考案の詳細な説明】
【技術分野】
【０００１】
本考案は、給気を必要とする建物の部屋内側への漏水を防止するための有圧扇を備えた給気用ウェザーカバーユニットに関するするものである。
【背景技術】
【０００２】
一般に、壁貫通短管、シャッター、フィルターユニット、有圧扇等の構成品を組み合わせて成る有圧扇を備えた給気装置は、雨、濃霧等で内部に水が入った場合、内部に水が溜まり、部屋内の接続部及び構成品より漏水を起こす場合があり、接続部及び構成品よりの漏水対策をする必要があった。
【０００３】
一般に、有圧扇を備えた給気装置については、先行技術として、例えば、倉庫等の換気にあたり、日中においても有圧扇を可動させることなく倉庫内を適切な温度環境に維持し、しかもランニングコストを従来より抑えることを目的とする換気方法が提案されている（特許文献１）。また、他の先行技術として、例えば、従来よりも給気の旋回成分を更に増強させて旋回誘引量を大きくでき、気流減衰特性をより向上させた置換換気システムが提案されている（特許文献２）。
【先行技術文献】
【特許文献】
【０００４】
【特許文献１】特開２０１５−３６５９９号公報
【特許文献２】特開２００５−２８２８９２号公報
【考案の概要】
【考案が解決しようとする課題】
【０００５】
しかし、従来の有圧扇を備えた給気装置は、以下のような問題点を有している。
１）該有圧扇を備えた給気装置は、冷たい外気で該有圧扇の外気吸入口付近を冷やすため、部屋内の湿気が凝縮して結露を生じさせ、部屋内に漏水を生じさせる問題がある。
２）該有圧扇を備えた給気装置の外気吸入口側に外部の埃やＰＭ２．５などを除去するフィルターユニットを設置する場合があり、そのフィルターユニットに結露や漏水を生じさせる問題がある。
３）上記の問題点を回避するための電気ヒーターなどを配設する方法はあるが、大きなエネルギーが必要とされる問題がある。
【０００６】
本考案は、以上の点に鑑みて完成されたものであり、その目的とするところは、ウェザーカバー、壁貫通短管、シャッター、フィルターユニット、及び有圧扇等の各種構成品を組み合わせ、前記壁貫通短管及び前記フィルターユニットの底部に傾斜を設け、前記壁貫通短管とフィルターユニットの組み合わせにより、内部に水を溜めることなく、前記傾斜を介して水を自然落下により外部へ排出させて、給気を必要とする建物の部屋内側に水が溜まらないようにした、有圧扇を備えた給気用ウェザーカバーユニットを提供することにある。
【課題を解決するための手段】
【０００７】
本考案は、ウェザーカバー、壁貫通短管、シャッター、フィルターユニット、及び有圧扇等の構成品の組み合わせ構造において、壁貫通短管は溶接構造とし、底部に傾斜を設け、水の溜まらない構造とする。また、フィルターユニットは溶接構造とし、底部に傾斜を設け、固定レール部（水抜き構造）も水の溜まらない構造とし、壁貫通短管とフィルターユニットの組み合わせにより、内部に水を溜めることなく、前記底部に設けた傾斜を通して水を自然落下させて外部へ排出し、漏水を防ぐ構造とすることを特徴とするものである。
【０００８】
また、シャッターの固定を壁貫通短管とフィルターユニットの内側で行う構造とすることで、部屋内側の接続箇所を最小限とし、接続部の漏水を最小にする。更に、施工の際は、外壁に対し、胴縁に付属する取付金具を固定して、壁貫通短管の位置決めと、構成品の固定を行うだけで、部屋内の接続部及び構成品より漏水を起こすことがない特徴を持った、有圧扇を備えた給気用ウェザーカバーユニットを簡便に設置することが可能である。
【０００９】
本考案に係る有圧扇を備えた給気用ウェザーカバーユニットの構成品は、例えば、ウェザーカバー、壁貫通短管、シャッター、フィルターユニット、有圧扇等から構成され、任意に、例えば、フィルターユニットの水抜き構造として、固定レール部や、他の任意の構成品を配設することができる。前記壁貫通短管の接続箇所は溶接構造とし、また、フィルターユニットの接続箇所も溶接構造とし、壁貫通短管とフィルターユニットの組み合わせにより、前記接続部及び構成品の内部に水が溜まらない構造とする。
【００１０】
即ち、前記壁貫通短管とフィルターユニットの底部に傾斜を設け、当該壁貫通短管とフィルターユニットの組み合わせにより、内部に入った水は、前記底部に設けた傾斜面を通じて自然落下によりウェザーカバーを経由して部屋の外側に排出される。
【００１１】
また、前記構成品のシャッターは、前記壁貫通短管とフィルターユニットの内側に配設する構造とすることで、雨、濃霧等で内部に水が入った場合でも、水は前記壁貫通短管とフィルターユニットの底部に設けた傾斜を通じて外部に排出され、内部に水が溜まることがない。
【００１２】
本考案において、壁貫通短管の底部に設ける傾斜は、貫通短管の底部に溜まった水が、給気装置の外気吸側の外部に自然落下により流出するように適宜の角度の傾斜構造とすればよく、その傾斜角度や傾斜面の性状、及びその形状又は構造等については、任意に設計することができる。
【００１３】
また、固定レール部の水抜き構造についても、溜まった水が、自然落下により流出するように固定レール部の水抜き構造を任意に設計すればよい。本考案では、前記構成品の他に、必要に応じて、任意の構成品を適宜組み合わせて配設することができる。
【考案の効果】
【００１４】
本考案により、以下のような格別の効果が奏される。
１）簡単な装置で、有圧扇を備えた給気装置の外気吸入口付近の結露が防止できる。
２）有圧扇を備えた給気装置の効率を低下させることなしに、しかもエネルギーを使用せずに、建物の部屋内側への漏水を防ぐことができる。
３）外部粉塵の多い場所、地域などで、必要に応じて、環境空気量を調整するための公知の風量調整装置やフィルターユニット等の適宜の構成品を配設することができ、それにより、雨、濃霧や、外部の埃やＰＭ２．５などにより、部屋内側に結露、漏水が生じることを効果的に防ぐことができる。
【図面の簡単な説明】
【００１５】
【図１】本考案に係る有圧扇を備えた給気用ウェザーカバーユニット正面の説明図を示す。
【図２】本考案に係る有圧扇を備えた給気用ウェザーカバーユニット断面の説明図を示す。
【考案を実施するための形態】
【００１６】
以下に、図面を参照しながら本考案について具体的に説明する。
【００１７】
［実施の形態１］
図１を参照しながら、本考案に係る有圧扇を備えた給気用ウェザーカバーユニットについて説明する。
上記有圧扇を備えた給気用ウェザーカバーユニットは、ウェザーカバー、壁貫通短管、シャッター、フィルターユニット、有圧扇からなる構成品を組み合わせた構造を有し、前記壁貫通短管は溶接構造とし、底部に傾斜を設け、該壁貫通短管自体、水の溜まらない構造とする。前記フィルターユニットは溶接構造とし、底部に傾斜を設け、固定レール部（水抜き構造）も水の溜まらない構造とする。上記構成品の材質は、公知の有圧扇を備えた給気装置の構成品の材質と同等のものであれば同様に使用することができる。
【００１８】
本考案では、前記底部に傾斜を設けた壁貫通短管と前記フィルターユニットの組み合わせ構造により、内部に入った水を、前記底部に設けた傾斜を自然落下させ、内部に水を溜めることなく、ウェザーカバーを介して外部へ排出し、建物の部屋内側への漏水を防ぐようにしている。また、シャッターの固定を前記壁貫通短管と前記フィルターユニットの内側で行う構造とし、部屋内側の接続箇所を最小限とすることで、接続部の漏水が最小になるようにしている。
【００１９】
［給気用ウェザーカバーユニットの取り付け方法］
本考案の給気用ウェザーカバーユニットの取り付け方法について説明すると、本考案では、ウェザーカバー、壁貫通短管、シャッター、フィルターユニット、有圧扇の各構成品を組み合わせて、給気用ウェザーカバーユニットとして接続する。該給気用ウェザーカバーユニットは、胴縁に付属する取付金具を固定するだけで、壁貫通短管の位置決めと構成品の固定を簡単に行うことができ、取付け労務費の軽減を見込むことが可能である。
【００２０】
［給気用ウェザーカバーユニットの作用］
次に、給気用ウェザーカバーユニットの作用について説明する。
給気用ウェザーカバーユニットは、ウェザーカバーユニット、壁貫通短管、シャッター、フィルターユニット、有圧扇の各構成品の組み合わせ構造とし、前記壁貫通短管及びフィルターユニットの各低部に傾斜を設けた構造（底面に勾配をつけた構造）とし、また、前記シャッターの固定を前記壁貫通短管と前記フィルターユニットの内側で行う構造とし、外気を有圧扇により吸引し、フィルターでろ過後部屋内に清浄空気を送るシステムとすることで、給気を必要とする建物において、雨、濃霧等で内部に水が入った場合、内部に水が溜まり、部屋内の接続部及び構成品に結露、漏水を起こすことを防止する作用が機能する。
【００２１】
このように、本考案に係る有圧扇を備えた給気用ウェザーカバーユニットは、前記壁貫通短管は溶接構造とし、壁貫通短管の底部に傾斜を設け、前記フィルターユニットは溶接構造とし、該フィルターユニットの底面に傾斜を設け、固定レール部も水の溜まらない構造とし、前記壁貫通短管とフィルターユニットの組み合わせにする（一つのケース内に収納する）ことで、内部に水が入った場合、水は前記底部に設けた傾斜を通じて外部に排出され、内部に水を溜めることなく、漏水を防ぐ作用効果を奏する。
【産業上の利用可能性】
【００２２】
従来、有圧扇を備えた給気装置は、雨、濃霧等で内部に水が入った場合、内部に水が溜まり、部屋内の接続部及び構成品より漏水を起こす可能性があったが、本考案は、有圧扇を備えた給気用ウェザーカバーユニット構造とすることにより、給気を必要とする建物の部屋内側への漏水を防ぐことができる、また、胴縁に付属する取付金具を固定するだけで壁貫通短管の位置決めと構成品の固定を簡単に行うことができる点で顕著な産業上の利用可能性を有する。
【符号の説明】
【００２３】
１  ウェザーカバー
２  壁貫通短管
３  シャッター
４  フィルターユニット
５  有圧扇
６  取付金具
７  外壁
８  胴縁
【図１】
0003219169.tif 000003
【図２】
0003219169.tif 000004
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
有圧扇を備えた給気用ウェザーカバーユニットであって、ウェザーカバー、壁貫通短管、シャッター、フィルターユニット及び有圧扇から成る各構成品をウェザーカバー−壁貫通短管−シャッター−フィルターユニット−有圧扇の順に組み合わせた組み合わせ構造を有し、前記壁貫通短管は溶接構造とし、該壁貫通短管の底部に傾斜を設けて水の溜まらない構造とし、前記フィルターユニットは溶接構造とし、該フィルターユニットの底部に傾斜を設けて水の溜まらない構造とし、前記フィルターユニットを固定する固定レール部も水抜き構造を備えた水の溜まらない構造とし、前記壁貫通短管の底部と前記フィルターユニットの底部を、前記壁貫通短管の底部の傾斜と前記フィルターユニットの底部の傾斜が連続した傾斜となるように組み合わせた構造とすることにより、雨、濃霧、その他の原因で内部に水が入った場合、内部に水を溜めることなく、水を前記底部に設けた傾斜を通して自然落下により前記ウェザーカバーを経由して外部へ排出し、漏水を防ぐようにしたことを特徴とする前記給気用ウェザーカバーユニット。
【請求項２】
シャッターの接続を壁貫通短管とフィルターユニットの内側で行う構造とし、前記壁貫通短管と前記フィルターユニットにより構成される部屋内側の接続箇所を最小限とし、該接続箇所及び構成品より漏水を起こすことを防ぐようにした、請求項１記載の給気用ウェザーカバーユニット。
【請求項３】
胴縁に付属する取付金具を固定するだけで壁貫通短管の位置決めと構成品の固定を行うようにした、請求項１又は２記載の給気用ウェザーカバーユニット。
【手続補正２】
【補正対象書類名】明細書
【補正対象項目名】０００７
【補正方法】変更
【補正の内容】
【０００７】
本考案は、ウェザーカバー、壁貫通短管、シャッター、フィルターユニット、及び有圧扇等の構成品の組み合わせ構造において、壁貫通短管は溶接構造とし、底部に傾斜を設けて水の溜まらない構造とする。また、フィルターユニットは溶接構造とし、該フィルターユニットの底部に傾斜を設けて水の溜まらない構造とし、前記フィルターユニットを固定する固定レール部も水抜き構造を備えた水の溜まらない構造とし、壁貫通短管の底部とフィルターユニットの底部を、前記壁貫通短管の底部の傾斜と前記フィルターユニットの底部の傾斜が連続した傾斜となるように組み合わせた構造とすることにより、雨、濃霧、その他の原因で内部に水が入った場合、内部に水を溜めることなく、前記底部に設けた傾斜を通して水を自然落下により前記給気用ウェザーカバーを経由して外部へ排出し、漏水を防ぐようにしたことを特徴とするものである。
【手続補正３】
【補正対象書類名】明細書
【補正対象項目名】０００８
【補正方法】変更
【補正の内容】
【０００８】
また、シャッターの接続を壁貫通短管とフィルターユニットの内側で行う構造とすることで、部屋内側の接続箇所を最小限とし、接続部の漏水を最小にする。更に、施工の際は、外壁に対し、胴縁に付属する取付金具を固定して、壁貫通短管の位置決めと、構成品の固定を行うだけで、部屋内の接続箇所及び構成品より漏水を起こすことがない特徴を持った、有圧扇を備えた給気用ウェザーカバーユニットを簡便に設置することが可能である。
【手続補正４】
【補正対象書類名】明細書
【補正対象項目名】００１８
【補正方法】変更
【補正の内容】
【００１８】
本考案では、前記底部に傾斜を設けた壁貫通短管と前記フィルターユニットの組み合わせ構造により、内部に入った水を、前記底部に設けた傾斜を自然落下させ、内部に水を溜めることなく、ウェザーカバーを介して外部へ排出し、建物の部屋内側への漏水を防ぐようにしている。また、シャッターの接続を前記壁貫通短管と前記フィルターユニットの内側で行う構造とし、前記壁貫通短管と前記フィルターユニットより構成される部屋内側の接続箇所を最小限とすることで、接続箇所及び構成品よりの漏水が最小になるようにしている。